(57)【要約】【課題】色の組み合せを自由に行うことができ、また、地球環境に優しいゴルフ用グリーンマーカーを提供する。【解決手段】本ゴルフ用グリーンマーカー１は、オス側ベース板２１の上面２２に所定のデザイン形状をかたどった凸部２３が突出形成された第１パーツ２と、メス側ベース板３１に第１パーツ２の凸部２３の外形をかたどった貫通孔３３が形成された第２パーツ３とを有する。第１パーツの凸部を第２パーツの貫通孔に嵌め込んで第１パーツの凸部を第２パーツの上面に露出させるように第１パーツと第２パーツとを合体させることでマーカー上面にデザインＡが形成される。第１パーツの凸部と第２パーツの上面の少なくとも一方は着色されており、第１パーツと第２パーツとによりマーカー上面の色の組み合わせが自由に行なえる。第１パーツ、第２パーツは、生分解性樹脂のみ又は生分解性樹脂に無機物を配合した樹脂材料により形成される。【選択図】図１
0003222636.tif 000002
【実用新案登録請求の範囲】
【請求項１】
樹脂製の２つのパーツを組み合せてマーカー上面にデザインを形成するゴルフ用グリーンマーカーであって、
オス側ベース板の上面に所定のデザイン形状をかたどった凸部が突出形成された第１パーツと、
メス側ベース板に第１パーツの凸部の外形をかたどった貫通孔が形成され且つメス側ベース板の下面に第１パーツのオス側ベース板を収容する凹部が形成された第２パーツとを有し、
第１パーツの凸部を第２パーツの貫通孔に嵌め込んで第１パーツの凸部を第２パーツの上面に露出させるように第１パーツと第２パーツとを合体させることでマーカー上面にデザインが形成される構成とし、
第１パーツの凸部と第２パーツの上面の少なくとも一方は着色されており、第１パーツと第２パーツとによりマーカー上面の色の組み合わせが自由に行なえる構成とするゴルフ用グリーンマーカー。
【請求項２】
請求項１に記載のゴルフ用グリーンマーカーにおいて、
前記第２パーツのメス側ベース板を透明に形成し、前記第１パーツの凸部を着色することにより、マーカー上面の前記凸部によるデザインが浮き上がって見えるように構成するゴルフ用グリーンマーカー。
【請求項３】
請求項１又は２に記載のゴルフ用グリーンマーカーにおいて、
前記第１パーツ、前記第２パーツは、生分解性樹脂のみ又は生分解性樹脂に無機物を配合した樹脂材料により形成されているゴルフ用グリーンマーカー。
【請求項４】
請求項３に記載のゴルフ用グリーンマーカーにおいて、
前記生分解性樹脂は、ポリ乳酸であり、
前記無機物は、炭酸カルシウムであるゴルフ用グリーンマーカー。
【考案の詳細な説明】
【技術分野】
【０００１】
本考案は、ゴルフのプレーの際にグリーン上でボールの位置をマークするために用いられるゴルフ用グリーンマーカーに関する。
【背景技術】
【０００２】
従来、ゴルフ用グリーンマーカーとして、コイン状、画鋲状のものが知られている。また、マーカーの位置を遠くからでも視認し易くするため、３つの円板部材を蝶番で連結し、立体化させるもの（特許文献１）、同伴者のマーカーと間違えないようにするため、平板部をアルファベット等の形状としたもの（特許文献２）等もある。
【先行技術文献】
【特許文献】
【０００３】
【特許文献１】特開２０１１−３６６２３号公報
【特許文献２】実用新案登録第３２１３４６１号公報
【考案の概要】
【考案が解決しようとする課題】
【０００４】
しかしながら、従来のグリーンマーカーでは、ユーザーにおいて、自由に色の組み合せを行うことができず、見た目の変化に乏しく飽きやすいものであった。最近は、ゴルフティーなどもカラフルなものが増え、グリーンマーカーも飽きのこない意匠性の高いものが求められる。
【０００５】
一方、従来のグリーンマーカーは、金属製のものもあるが、合成樹脂製のものも多くあり、合成樹脂としては石油由来のものが使用されている。そのため、グリーンマーカーがゴルフ場で放置、廃棄等されると、土壌中に長期間そのまま残り、環境に悪影響を与えるおそれがある。
【０００６】
本考案は、以上の事情に鑑みてなされたものであり、色の組み合せを自由に行うことができ、見た目の変化を持たせることができるゴルフ用グリーンマーカーを提供することを目的とする。また、ゴルフ場で放置等されても自然環境の中で容易に分解され、地球環境に優しいゴルフ用グリーンマーカーを提供することも目的とする。
【課題を解決するための手段】
【０００７】
本考案に係るゴルフ用グリーンマーカーは、
樹脂製の２つのパーツを組み合せてマーカー上面にデザインを形成するゴルフ用グリーンマーカーであって、
オス側ベース板の上面に所定のデザイン形状をかたどった凸部が突出形成された第１パーツと、
メス側ベース板に第１パーツの凸部の外形をかたどった貫通孔が形成され且つメス側ベース板の下面に第１パーツのオス側ベース板を収容する凹部が形成された第２パーツとを有し、
第１パーツの凸部を第２パーツの貫通孔に嵌め込んで第１パーツの凸部を第２パーツの上面に露出させるように第１パーツと第２パーツとを合体させることでマーカー上面にデザインが形成される構成とし、
第１パーツの凸部と第２パーツの上面の少なくとも一方は着色されており、第１パーツと第２パーツとによりマーカー上面の色の組み合わせが自由に行なえる構成とするものである。
【０００８】
前記第２パーツのメス側ベース板を透明に形成し、前記第１パーツの凸部を着色することにより、マーカー上面の前記凸部によるデザインが浮き上がって見えるように構成してもよい。
【０００９】
また、前記第１パーツ、前記第２パーツは、生分解性樹脂のみ又は生分解性樹脂に無機物を配合した樹脂材料により形成されている。この場合、前記生分解性樹脂はポリ乳酸とし、前記無機物は炭酸カルシウムとすることが好ましい。
【考案の効果】
【００１０】
以上のように、本考案に係るゴルフ用グリーンマーカーによれば、第１パーツと第２パーツとの２パーツで構成することにより、マーカー上面の色の組み合わせを自由に行うことができる。従って、ユーザーの好み等に応じて、マーカー上面の色の組み合わせを自由に変更することができ、見た目の変化を持たせることができる。よって、意匠性が向上し、飽きのこないゴルフ用グリーンマーカーが得られる。
【００１１】
また、本ゴルフ用グリーンマーカーは、第１パーツと第２パーツとを生分解性樹脂を含む樹脂材料で形成することにより、ゴルフ場で放置、廃棄等されても自然環境の中で容易に分解されるから、地球環境に優しいものとなる。
【００１２】
また、本ゴルフ用グリーンマーカーは、２パーツで構成するので、例えば、第１パーツと第２パーツの一方は生分解性樹脂のみの樹脂材料で形成するが、他方は生分解性樹脂に無機物を配合する樹脂材料で形成するなど、第１パーツと第２パーツとの樹脂材料の組み合せも自由に行うことができ、コスト低減も可能となる。
【図面の簡単な説明】
【００１３】
【図１】実施形態のゴルフ用グリーンマーカーについて、その組み合わせパーツである第１パーツと第２パーツとを併せて示す上面図である。
【図２】第１パーツを示す図であり、同図（ａ）は上面図、同図（ｂ）は断面図である。
【図３】第２パーツを示す図であり、同図（ａ）は上面図、同図（ｂ）は断面図、同図（ｃ）は下面図である。
【考案を実施するための形態】
【００１４】
以下に、本考案の実施形態について添付図面を参照しながら説明する。
図１に示すように、実施形態のゴルフ用グリーンマーカー１は、樹脂製の２つのパーツ（第１パーツ２、第２パーツ３）の組み合せにより構成されている。
【００１５】
第１パーツ２は、図２（ａ）（ｂ）に示すように、略円板状のオス側ベース板２１を有し、このオス側ベース板２１の上面２２に所定のデザイン形状をかたどった凸部２３が突出形成されたものである。凸部２３の高さは、第１パーツ２と第２パーツ３とを合体させたときに第２パーツ３の上面３２ａよりも少し高く設定されるが、この上面３２ａと略同じ高さとなるように設定してもよい。この第１パーツ２は、射出成形等の成形法、３Ｄプリンター等の造形法等により製作することができる。凸部２３のデザインＡとして、実施形態では、動物の肉球を模したものであるが、これに限らず、例えば、交通安全標識の矢羽根、視線誘導灯、矢印標示等の形を模したものでもよい。また、販促品として本ゴルフ用グリーンマーカー１を用いる場合は、前記デザインＡとして、その企業の商品や名称や各種マーク等を用いてもよい。その他に前記デザインＡとして、図形、図柄、模様、記号、文字等の様々な形状を用いることができる。
【００１６】
凸部２３は、所定の色に着色されており、この凸部２３表面の色部分が第１着色部２４となる。なお、凸部２３の一部には着色部２４を形成しないようにしてもよい。第１着色部２４は、射出成形等で製作した第１パーツ２の成形品の凸部２３に塗料を塗布して形成することができる。なお、凸部２３を含めて第１パーツ２全体を所定の色で着色してもよく、例えば、成形品全体に塗料を塗布して着色してもよいし、樹脂材料に着色剤を混合することにより着色するようにしてもよい。
【００１７】
第２パーツ３は、図３（ａ）（ｂ）（ｃ）に示すように、円板状のメス側ベース板３１を有し、このメス側ベース板３１に第１パーツ２の凸部２３の外形をかたどった貫通孔３３が形成されたものである。また、メス側ベース板３１の下面３２ｂには、第１パーツ２のオス側ベース板２１を収容する凹部３５が形成されている。この第２パーツ３も、射出成形等の成形法、３Ｄプリンター等の造形法等により製作することができる。貫通孔３３や凹部３５は、第２パーツ３の成形時に形成できるが、円板状のメス側ベース板３１を射出成形等で製作した後に穴加工を施して形成してもよい。
【００１８】
第２パーツ３の上面３２ａは、所定の色に着色されており、この上面３２ａの色部分が第２着色部３４となる。なお、上面３２ａの一部には着色部３４を形成しないようにしてもよい。第２着色部３４は、射出成形等で製作した第２パーツ３の成形品の上面３２ａに塗料を塗布して形成することができる。なお、第２パーツ３全体を所定の色で着色してもよく、例えば、成形品全体に塗料を塗布して着色してもよいし、樹脂材料に着色剤を混合することにより着色するようにしてもよい。
【００１９】
以上の構成の第１パーツ２の凸部２３を第２パーツ３の貫通孔３３に嵌め込み、第１パーツ２のオス側ベース板２１を第２パーツ３の凹部３５に収容させて第１パーツ２の凸部２３を第２パーツ３の上面３２ａに露出させるように第１パーツ２と第２パーツ３とを合体させると、マーカー上面１１にデザインＡが形成された本ゴルフ用グリーンマーカー１が構成される（図１を参照）。この合体状態では、凸部２３は、マーカー上面１１に突出して配置される。これにより、マーカー上面１１には立体感のあるデザインＡが形成される。
【００２０】
第１パーツ２の凸部２３と第２パーツ３の上面３２ａは、第１着色部２４と第２着色部３４とにより所定の色に着色されているので、これら第１着色部２４と第２着色部３４との色の組み合せによりデザイン面であるマーカー上面１１の色が決まる。すなわち、様々な色の第１パーツ２と第２パーツ３とを適宜に組み合せることにより、マーカー上面１１の色の組み合わせを自由に行うことができる。このように、本ゴルフ用グリーンマーカー１によれば、第１パーツ２と第２パーツ３との２パーツで構成することにより、マーカー上面１１の色の組み合わせを自由に行うことができる。従って、ユーザーの好み等に応じて、マーカー上面１１の色の組み合わせを自由に変えることができ、見た目の変化を持たせることができる。よって、意匠性が向上し、飽きのこないゴルフ用グリーンマーカー１が得られる。
【００２１】
なお、実施形態では、第１パーツ２の凸部２３（第１着色部２４）と第２パーツ３の上面３２ａ（第２着色部３４）との両方に色を付しているが、凸部２３又は上面３２ａのどちらか一方にだけ色を付して着色部を形成するものでもよい。また、メス側ベース板３１で形成する第２パーツ３全体を透明に形成することにより、第２パーツ３を透けて第１パーツ２の着色した凸部２３を見せるようにし、マーカー上面１１において凸部２３によるデザインＡが浮き上がって見えるようにしてもよい。
【００２２】
一方、第１パーツ２及び第２パーツ３は、それを形成する樹脂材料に生分解性樹脂が使用される。生分解性樹脂は、ポリ乳酸が使用され、中でも、トウモロコシ等のデンプン由来のバイオプラスチックであるポリ乳酸が好ましく使用される。なお、樹脂材料の生分解性樹脂としては、ポリ乳酸の他に、ポリカプロラクトン、ポリヒドロキシ酪酸、ポリグリコール酸等の各種のものを１種又は２種以上組み合せて使用することができる。また、第１パーツ２及び第２パーツ３を形成する樹脂材料は、生分解性樹脂を全部含有するものに限らず、生分解性樹脂に無機物を配合したものを使用することができる。無機物は、炭酸カルシウムが使用される。炭酸カルシウムは、一般ごみとして廃棄することができ、地球環境に悪影響を与えない物質である。なお、使用する無機物としては、炭酸カルシウムに限らず、貝殻粉末、重曹等のように地球環境に悪影響を与えない無機物を使用することもできる。
【００２３】
以上より、本ゴルフ用グリーンマーカー１は、例えば、１００％ポリ乳酸樹脂を使用したものや、炭酸カルシウム配合のポリ乳酸樹脂を使用したものとすることができる。このように、ゴルフ用グリーンマーカー１を構成する第１パーツ２及び第２パーツ３を生分解性樹脂又は生分解性樹脂に無機物を配合した樹脂材料で形成することにより、本ゴルフ用グリーンマーカー１がゴルフ場で放置、廃棄等されても、自然環境の土壌中で微生物などにより最終的には水と二酸化炭素に分解されるから、環境を汚染することがなく、地球環境に優しいものとなる。
【００２４】
また、本ゴルフ用グリーンマーカー１は、２パーツで構成するので、第１パーツ２と第２パーツ３との樹脂材料の組み合せも自由に行うことができる。例えば、凸部２３を形成する第１パーツ２は、凸部２３を良好に成形できるように生分解性樹脂だけの樹脂材料で形成し、第２パーツ３は、生分解性樹脂に無機物を配合した樹脂材料で形成するようにする。このように、高価な生分解性樹脂の使用量を抑えることにより、ゴルフ用グリーンマーカー１のコスト低減も可能となる。
【００２５】
なお、本考案は、前記実施形態に限定されるものではなく、実用新案登録請求の範囲内で様々な変更を施すことが可能である。
例えば、第２パーツ３には、携帯するための挿通孔を設けてもよい。
【符号の説明】
【００２６】
１  ゴルフ用グリーンマーカー
２  第１パーツ
３  第２パーツ
１１  マーカー上面
２１  オス側ベース板
２２  オス側ベース板の上面
２３  凸部
２４  第１着色部
３１  メス側ベース板
３２ａ  メス側ベース板の上面
３２ｂ  メス側ベース板の下面
３３  貫通孔
３４  第２着色部
３５  凹部
Ａ  デザイン
【図１】
0003222636.tif 000003
【図２】
0003222636.tif 000004
【図３】
0003222636.tif 000005